(57)【要約】【課題】  ケーブルの押込み工法の下で、特に、ケーブルの増設作業が容易な配線用接続具の提供。【解決手段】  端部にケーブル挿通口１ａを有して建物の壁面又は床面に固定されるベース体１と、端部にケーブル挿通口２ａを有して該ベース体１と着脱可能に嵌合するカバー体２とから成り、該カバー体２とベース体１の内側に上記各ケーブル挿通口１ａ・２ａと連通する収容空間１ｂ・２ｂを画成する一方、上記各ケーブル挿通口１ａ・２ａに一定の隙間１０を画して別の接続具９を接続して、該隙間１０を経て上記収容空間１ｂ・２ｂ内にケーブルを配線する配線用接続具において、上記ベース体１又はカバー体２のいずれか一方の開口端部内面に該内面よりも隆起する傾斜４・７を設けて、該傾斜４・７で押し込みケーブルの先端部を上記収容空間１ｂ・２ｂ側へ強制的に案内することを特徴とする。【選択図】  図４
2013009454.tif 000002
【特許請求の範囲】
【請求項１】
端部にケーブル挿通口を有して建物の壁面又は床面に固定されるベース体と、端部にケーブル挿通口を有して該ベース体と着脱可能に嵌合するカバー体とから成り、該カバー体とベース体の内側に上記各ケーブル挿通口と連通する収容空間を画成する一方、上記各ケーブル挿通口に一定の隙間を画して別の接続具を接続し、該隙間を経て上記収容空間内にケーブルを配線する配線用接続具において、上記ベース体又はカバー体のいずれか一方の開口端部内面に該内面よりも隆起する傾斜を設けて、該傾斜で押し込みケーブルの先端部を上記収容空間側へ案内することを特徴とするケーブルの配線用接続具。
【請求項２】
上記ベース体とカバー体の対向する開口端部内面に押し込みケーブルの先端部を収容空間側へ案内する傾斜を個々に設けて、該対向する各傾斜を環状に配したことを特徴とする請求項１記載のケーブルの配線用接続具。
【請求項３】
上記ベース体とカバー体は湾曲形状に成形されていることを特徴とする請求項１乃至請求項２のいずれかに記載のケーブルの配線用接続具。
【請求項４】
上記ベース体とカバー体は直線形状に成形されていることを特徴とする請求項１乃至請求項２のいずれかに記載のケーブルの配線用接続具。
【請求項５】
上記ベース体とカバー体はＴ字形状に成形されていることを特徴とする請求項１乃至請求項２のいずれかに記載のケーブルの配線用接続具。
【発明の詳細な説明】
【技術分野】
【０００１】
本発明は、例えば、光ケーブルを建物の壁面や床面に敷設する際に、該光ケーブルを保護しながら配線する配線用接続具に関する。
【背景技術】
【０００２】
従来のこの種配線用接続具は、下記の特許文献１に示すように、平面Ｌ字状を呈して建物の壁面や床面に固定される合成樹脂製のベース体と、同じく平面Ｌ字状を呈して該ベース体と着脱可能に嵌合する合成樹脂製のカバー体とから成り、該ベース体とカバー体の対向する開口を２個のケーブル挿通口となして、該各ケーブル挿通口を介して、ベース体とカバー体の内側に画成される収容空間内に光ケーブルをＬ字状に屈曲して配線できる構成となっている。
【０００３】
そして、実際の使用に際しては、上記ベース体を建物の壁面又は床面にビスや両面接着テープ等を介して固定した後、該ベース体の収容空間内に光ケーブルを収容する状態を得て、該ベース体にカバー体を嵌合すると、光ケーブルはベース体とカバー体とで保護されながら配線される。尚、この場合には、ベース体とカバー体で画成されるケーブル挿通口側には直線状の別の接続具が接続される。但し、カバー体がベース体よりも長寸法に設定されているので、カバー体と該別の接続具とはオーバーラップして接続される。
【０００４】
又、これとは別の配線用接続具は、下記の特許文献２に示すように、平面Ｔ字状を呈する合成樹脂製のベース体と、同じく平面Ｔ字状を呈する合成樹脂製のカバー体とから成り、該ベース体とカバー体の対向する開口を３個のケーブル挿通口となして、該各ケーブル挿通口を介して、ベース体とカバー体で画成される収容空間内に光ケーブルを分岐させながら配線できる構成となっている。
【０００５】
そして、実際の使用に際しては、同様に、ベース体を建物の壁面又は床面に固定した後、該ベース体の収容空間内に光ケーブルを分岐させて収容する状態を得て、該ベース体にカバー体を嵌合すると、光ケーブルは保護されながら分岐配線される。尚、この場合にも、ベース体とカバー体で画成される３個のケーブル挿通口側には直線状の別の接続具が接続される。但し、この特許文献２のものは、ベース体とカバー体が同寸法に設定されているので、例え、その挿通口に別の接続具と接続すると雖も、カバー体が別の接続具とオーバーラップすることはない。
【先行技術文献】
【特許文献】
【０００６】
【特許文献１】実公昭４６−１５５５３号公報
【特許文献２】特開平１０−９４１３７号公報
【発明の概要】
【発明が解決しようとする課題】
【０００７】
従って、オーバーラップして接続される場合でも、オーバーラップせずに接続される場合でも、光ケーブルはベース体とカバー体とで保護されながら配線されることとなるが、特に、これが屋外で配線されるような場合には、通常、成形材料の伸縮を考慮して、各配線用接続具と直線状の別の接続具との接続部に２〜５ｍｍ程度の隙間を開けて取り付けている。尚、この隙間は上記のように積極的に形成される他に、作業員の施工具合や切断の仕方でも形成されることがある。
【０００８】
しかし、ケーブルを増設するような場合に、各接続具の接続部に上記隙間が形成されていると、配線ライン上に光ケーブルを押し込んでケーブルを挿通するケーブル押し込み工法を用いた際に、該ケーブルの先端部が当該隙間の縁などに引っ掛かり、ケーブルをスムーズに通線することができなくなる恐れが十分にあった。
この為、従来にあっては、ケーブルを増設する場合には、ケーブルの押込み工法を止めて、全てのカバー体をベース体から取り外して、光ケーブルを配線用接続具の内部に収容する作業が余儀なくされているので、自ずと作業が大変となる嫌いがあった。
【０００９】
そこで、本発明は、ケーブルの押込み工法の下で、従来のようにカバー体を取り外すことなく、増設のためのケーブルを容易に通線できる配線用接続具を提供する。
【課題を解決するための手段】
【００１０】
本発明は、斯かる実情に鑑み開発されたもので、端部にケーブル挿通口を有して建物の壁面又は床面に固定されるベース体と、端部にケーブル挿通口を有して該ベース体と着脱可能に嵌合するカバー体とから成り、該カバー体とベース体の内側に上記各ケーブル挿通口と連通する収容空間を画成する一方、上記各ケーブル挿通口に一定の隙間を画して別の接続具を接続し、該隙間を経て上記収容空間内にケーブルを配線する配線用接続具において、上記ベース体又はカバー体のいずれか一方の開口端部内面に該内面よりも隆起する傾斜を設けて、該傾斜で押し込みケーブルの先端部を上記収容空間側へ案内することを特徴とする。
【００１１】
好ましくは、上記ベース体とカバー体の対向する開口端部内面に押し込みケーブルの先端部を収容空間側へ強制的に案内する傾斜を個々に設けて、該対向する各傾斜を環状に配する。
【００１２】
これを詳述すると、上記ベース体とカバー体を湾曲形状に成形するか、直線形状に成形するか、Ｔ字形状に成形する。
【発明の効果】
【００１３】
本発明にあっては、ケーブルを増設するために、ケーブルの押込み工法の下で、ケーブルを配線用接続具の内部に通線する場合には、ケーブルの先端部を接続される別の接続具側から押し込んでいくと、ケーブルの先端部がベース体又はカバー体のいずれか一方の開口端部内面に設けられた傾斜に衝突して、ケーブルを収容空間側に強制的に跳ね上げるので、ケーブルが上記隙間の縁などに引っ掛かることなくスムーズに押し込まれる。又、配線用接続具の内部から別の接続具の内部に押し込む場合でも、ケーブルの先端部がやはり隆起する傾斜に衝突して収容空間側に跳ね上がって、隙間を飛び越えて通過するので、隙間の縁などに引っ掛かることがない。従って、従来のように全てカバー体を外さなくとも、ケーブルの増設配線が十分に可能となる。
【００１４】
又、本発明に係る配線用接続具は、湾曲形状や直線形状やＴ字形状に成形できるので、コーナー部での配線や直線部での配線が可能となることは勿論のこと、分岐配線も可能となる。
【図面の簡単な説明】
【００１５】
【図１】本発明の実施例に係る配線用接続具を内側から示す分解斜視図である。
【図２】同配線用接続具のベース体にカバー体を嵌合した状態を示す断面図である。
【図３】（Ａ）（Ｂ）（Ｃ）は傾斜の隆起形状例を示す要部拡大断面図である。
【図４】配線用接続具に別の接続具をオーバーラップして接続した状態を示す断面図である。
【図５】光ケーブルの先端部を一方の挿通開口から押し込んだ状態を示す説明図である。
【図６】光ケーブルの先端部を他方の挿通開口から別の接続具へ導いた状態を示す説明図である。
【図７】（Ａ）（Ｂ）は傾斜が設けられる箇所の他例を示す断面図である。
【図８】配線用接続具に別の接続具をオーバーラップせずに接続した状態を示す断面図である。
【図９】直線状を呈する配線用接続具を内側から示す分解斜視図である。
【図１０】Ｔ字状を呈する配線用接続具を内側から示す分解斜視図である。
【発明を実施するための最良の形態】
【００１６】
以下、本発明を図示する好適な実施例に基づいて詳述する。
【００１７】
本実施例に係る配線用接続具は、所謂マガリと称される配線用接続具に応用したもので、図１に示すように、断面Ｕ字状を呈しつつ湾曲状に成形されて建物の壁面又は床面にビスや両面接着テープ等を介して固定されるベース体１と、同じく断面Ｕ字状を呈しつつ一回り大きな湾曲状に成形されて該ベース体１と着脱可能に嵌合するカバー体２とから成り、これら１・２はいずれも合成樹脂で一体に成形されている。
【００１８】
そして、前者のベース体１は、両端部にケーブル挿通口１ａを有し、内部に該各ケーブル挿通口１ａと連通する収容空間１ｂを有し、その各側壁の外面に後述するカバー体２の嵌合爪６と係合する嵌合肩３を連続して形成し、且つ、上記各開口端部１ａ、詳しくは、開口端縁の内面に該内面よりも隆起する傾斜４を側壁から下壁に跨って一体に設け、該傾斜４の作用で、押し込みケーブルの先端部を上記収容空間１ｂ側へ強制的に案内する構成となっている。尚、図中５はビスの取付孔である。
【００１９】
又、後者のカバー体２は、同じく、両端部にケーブル挿通口２ａを有し、内部に該各ケーブル挿通口２ａと連通する収容空間２ｂを有し、その各側壁の対向する内面に上記ベース体１の嵌合肩３に係合する嵌合爪６を間隔をおいて形成し、且つ、上記ベース体１の傾斜４と対応する開口端部の内面に該内面よりも隆起する傾斜７を側壁の途中から上壁に跨って一体に設け、該傾斜７の作用で、押し込みケーブルの先端部を上記収容空間２ｂ側に強制的に案内する構成となっている。尚、この場合は、傾斜７をその開口端縁には設けないので、カバー体２の両端側に後述する直線状の別の接続具９とオーバーラップする延長部８が張り出すこととなる。
【００２０】
従って、カバー体２をベース体１に上記各嵌合肩３と各嵌合爪６を介して嵌合すると、図２に示すように、ベース体１がカバー体２の内側に完全に嵌り込む状態をもって上下の各傾斜４・７が環状に配置され、押し込みケーブルの先端部が如何なる状態に押し込まれても、当該環状の傾斜４・７に衝突して跳ね上がり、ケーブルの先端部が上記収容空間１ｂ・２ｂ側に強制的に案内される。
【００２１】
ここで、上記ベース体１とカバー体２に設けられる傾斜４・７は、両者４・７が同一の形状を呈し、フラットなベース体１の下壁と側壁及びフラットなカバー体２の上壁と側壁から連続して隆起するもので、具体的な形状は、図３Ａに示すように小山状に隆起した形状か、同図Ｂに示すように外側が急斜面で内側が緩斜面となる隆起した形状か、或いは、同図Ｃに示すように円弧状に隆起した形状となす。これに限定されるものではなく、いずれにしても、押し込みケーブルの先端部が衝突して収容空間１ｂ・２ｂ側への跳ねを与えられるものであればその他の形状であっても良い。
【００２２】
依って、斯かる構成の配線用接続具を用いて光ケーブルを配線する場合には、配線コーナー部において、ベース体１をビス（図示せず）とその取付孔５を介して壁面又は床面に固定する状態を得て、その両端の各ケーブル挿通口１ａ・２ａ側に例えば直線状の別の接続具９を２〜５ｍｍ程度の隙間１０を介在して接続した後、カバー体２をベース体１に嵌合肩３と嵌合爪６を介して嵌合すると、図４に示すように、これにより、配線ラインが決定される。
【００２３】
尚、この配線ラインの下にあっては、既述したように、カバー体２の両端に延長部８が形成されているので、該各延長部８は別の接続具９とオーバーラップして接続されることとなるが、上記ベース体１とカバー体２の伸縮を吸収する隙間１０が開口端縁又は開口端部に形成されている関係で、各隙間１０の内側に傾斜４が位置することとなる。
【００２４】
そして、図５に示すように、直線状の別の接続具９の開口等から光ケーブル１１の先端部１１ａを押し込んでいくと、ケーブル１１の先端部１１ａが隙間１０を通過しながら、その一方の挿通開口１ａ側に設けられた傾斜４に衝突して収容空間１ｂ側へ跳ね上がるので、上記隙間１０の縁などに接触することなく、ベース体１の内側に確実に押し込まれる。特に、傾斜４（７）はフラットな内面から隆起しているので、ケーブル１１の先端部１１ａの跳ね上がりを効果的に助長できる。
【００２５】
次いで、ケーブル１１の先端部１１ａはベース体１の湾曲形状に沿って更に押し込まれて他方の挿通開口１ａ側へ移行するが、その移行過程で、同挿通開口１ａの端縁側に設けられている傾斜４に直に衝突して、図６に示すように、収容空間１ｂ側に跳ね上がって、該傾斜４と隙間１０を同時に飛び越えて、他方の別の接続具９内に導かれるので、従来のように、隙間１０の縁などに接触して押し込みができなくなるようなことは決してない。
【００２６】
又、上記実施例にあっては、ベース体１とカバー体２の双方に傾斜４・７を環状に設けたものであるが、本発明はこれに限定されるものではなく、少なくとも、図７Ａに示すように、ベース体１の挿通開口１ａの端縁のみに設けるか、同図Ｂに示すように、カバー体２の挿通開口２ａの端部内側のみに設けても、光ケーブル１１の先端部１１ａの飛び上がりは可能となる。
【００２７】
更に、上記実施例の下では、カバー体２と別の接続具９とがオーバーラップして接続させたものであるが、例えば、図８に示すように、独立部材たる隙間覆い１２を用いて、別の接続具９と本配線用接続具とをオーバーラップさせずに接続するものと可能である。尚、この場合も、成形材料の伸縮を考慮して隙間１０を形成することは言うまでもないが、この隙間１０は作業員の施工具合や切断の仕方によっても形成されることがあるので、ケーブル１１の押込み施工の下では、傾斜４・７は必須なものとなる。
【００２８】
尚、上記実施例は、所謂マガリと称される湾曲形状に成形された配線用接続具に応用したものであるが、所謂デズミ・イリズミ等と称される湾曲状の配線用接続具に対しても、又は、図９に示す直線状に成形された配線用接続具や、図１０に示すＴ字状に成形された配線用接続具に対しても、同一原理の下で実施できることは言うまでもない。
【符号の説明】
【００２９】
１      ベース体
１ａ    ケーブル挿通口
１ｂ    収容空間
２      カバー体
２ａ    ケーブル挿通口
２ｂ    収容空間
３      嵌合肩
４      傾斜
５      取付孔
６      嵌合爪
７      傾斜
８      延長部
９      別の接続具
１０    隙間
１１    光ケーブル
１１ａ  光ケーブルの先端部
１２    隙間覆い
【図１】
2013009454.tif 000003
【図２】
2013009454.tif 000004
【図３】
2013009454.tif 000005
【図４】
2013009454.tif 000006
【図５】
2013009454.tif 000007
【図６】
2013009454.tif 000008
【図７】
2013009454.tif 000009
【図８】
2013009454.tif 000010
【図９】
2013009454.tif 000011
【図１０】
2013009454.tif 000012
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
両端部にケーブル挿通口を有して建物の壁面又は床面に固定されるベース体と、両端部にケーブル挿通口を有して該ベース体と着脱可能に嵌合するカバー体とから成り、該カバー体とベース体は湾曲形状に成形され、該嵌合したカバー体とベース体の内側に上記各ケーブル挿通口と連通する収容空間を画成し、上記各ケーブル挿通口に伸縮を吸収する一定の隙間を存して別の接続具を接続し、該隙間を経て上記収容空間内にケーブルを配線する配線用接続具において、上記ベース体又はカバー体の各ケーブル挿通口の開口端部内面に該内面よりも隆起する傾斜を設け、該各傾斜は内側に緩斜面を有し、上記両端部の何れか一方のケーブル挿通口から押し込まれたケーブルの先端部を他方のケーブル挿通口の開口端部内面に設けられた上記傾斜の内側緩斜面で同他方のケーブル挿通口と接続する別の接続具内へ案内することを特徴とするケーブルの配線用接続具。
【請求項２】
上記ベース体とカバー体の両開口端部内面に上記傾斜を個々に設け環状に配したことを特徴とする請求項１記載のケーブルの配線用接続具。
【手続補正２】
【補正対象書類名】明細書
【補正対象項目名】００１０
【補正方法】変更
【補正の内容】
【００１０】
本発明は、斯かる実情に鑑み開発されたもので、両端部にケーブル挿通口を有して建物の壁面又は床面に固定されるベース体と、両端部にケーブル挿通口を有して該ベース体と着脱可能に嵌合するカバー体とから成り、該カバー体とベース体は湾曲形状に成形され、該嵌合したカバー体とベース体の内側に上記各ケーブル挿通口と連通する収容空間を画成し、上記各ケーブル挿通口に伸縮を吸収する一定の隙間を存して別の接続具を接続し、該隙間を経て上記収容空間内にケーブルを配線する配線用接続具において、上記ベース体又はカバー体の各ケーブル挿通口の開口端部内面に該内面よりも隆起する傾斜を設け、該各傾斜は内側に緩斜面を有し、上記両端部の何れか一方のケーブル挿通口から押し込まれたケーブルの先端部を他方のケーブル挿通口の開口端部内面に設けられた上記傾斜の内側緩斜面で同他方のケーブル挿通口と接続する別の接続具内へ案内することを特徴とする。
【手続補正３】
【補正対象書類名】明細書
【補正対象項目名】００１１
【補正方法】変更
【補正の内容】
【００１１】
好ましくは、上記ベース体とカバー体の両開口端部内面に上記傾斜を個々に設け環状に配する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明にあっては、ケーブルを増設するために、ケーブルの押込み工法の下で、ケーブルを配線用接続具の内部に通線する場合には、ケーブルの先端部を一方のケーブル挿通口に接続された別の接続具側から押し込んでいくと、ケーブルの先端部がベース体又はカバー体の開口端部内面に設けられた傾斜に衝突して、ケーブルを収容空間内で跳ね上げるので、ケーブルが上記隙間の縁などに引っ掛かることなくスムーズに押し込まれる。又、配線用接続具の内部から他方のケーブル挿通口と接続する別の接続具の内部に押し込む場合では、ケーブルの先端部が隆起する傾斜の緩斜面に衝突して収容空間内で跳ね上がって、隙間を飛び越えて通過して、別の接続具内に導かれるので、隙間の縁などに引っ掛かることがない。従って、従来のように全てカバー体を外さなくとも、ケーブルの増設配線が十分に可能となる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
【図１】本発明の実施例に係る配線用接続具を内側から示す分解斜視図である。
【図２】同配線用接続具のベース体にカバー体を嵌合した状態を示す断面図である。
【図３】（Ａ）（Ｂ）（Ｃ）は傾斜の隆起形状例を示す要部拡大断面図である。
【図４】配線用接続具に別の接続具をオーバーラップして接続した状態を示す断面図である。
【図５】光ケーブルの先端部を別の接続具の内部から配線用接続具の内部に押し込んだ状態を示す説明図である。
【図６】光ケーブルの先端部を配線用接続具の内部から別の接続具の内部へ導いた状態を示す説明図である。
【図７】（Ａ）（Ｂ）は傾斜が設けられる箇所の他例を示す断面図である。
【手続補正８】
【補正対象書類名】明細書
【補正対象項目名】００１８
【補正方法】変更
【補正の内容】
【００１８】
そして、前者のベース体１は、両端部にケーブル挿通口１ａを有し、内部に該各ケーブル挿通口１ａと連通する収容空間１ｂを有し、その各側壁の外面に後述するカバー体２の嵌合爪６と係合する嵌合肩３を連続して形成し、且つ、上記ケーブル挿通口１ａの各開口端部の内面に該内面よりも隆起する傾斜４を側壁から下壁に跨って一体に設け、該傾斜４の作用で、押し込みケーブルの先端部を上記収容空間１ｂ又は後述する別の接続具９内へ強制的に案内する構成となっている。尚、図中５はビスの取付孔である。
【手続補正９】
【補正対象書類名】明細書
【補正対象項目名】００１９
【補正方法】変更
【補正の内容】
【００１９】
又、後者のカバー体２は、同じく、両端部にケーブル挿通口２ａを有し、内部に該各ケーブル挿通口２ａと連通する収容空間２ｂを有し、その各側壁の対向する内面に上記ベース体１の嵌合肩３に係合する嵌合爪６を間隔をおいて形成し、且つ、上記ベース体１の傾斜４と対応する開口端部の内面に該内面よりも隆起する傾斜７を側壁の途中から上壁に跨って一体に設け、該傾斜７の作用で、押し込みケーブルの先端部を上記収容空間２ｂ又は後述する別の接続具９内へ強制的に案内する構成となっている。尚、この場合は、傾斜７をその開口端縁には設けないので、カバー体２の両端側に後述する直線状の別の接続具９とオーバーラップする延長部８が張り出すこととなる。
【手続補正１０】
【補正対象書類名】明細書
【補正対象項目名】００２０
【補正方法】変更
【補正の内容】
【００２０】
従って、カバー体２をベース体１に上記各嵌合肩３と各嵌合爪６を介して嵌合すると、図２に示すように、ベース体１がカバー体２の内側に完全に嵌り込む状態をもって上下の各傾斜４・７が環状に配置され、押し込みケーブルの先端部が如何なる状態に押し込まれても、当該環状の傾斜４・７に衝突して跳ね上がり、ケーブルの先端部が上記収容空間１ｂ・２ｂ又は別の接続具内に強制的に案内される。
【手続補正１１】
【補正対象書類名】明細書
【補正対象項目名】００２１
【補正方法】変更
【補正の内容】
【００２１】
ここで、上記ベース体１とカバー体２に設けられる傾斜４・７は、両者４・７が同一の形状を呈し、フラットなベース体１の下壁と側壁及びフラットなカバー体２の上壁と側壁から連続して隆起するもので、具体的な形状は、図３Ａに示すように小山状に隆起した形状か、同図Ｂに示すように外側が急斜面で内側が緩斜面となる隆起した形状か、或いは、同図Ｃに示すように円弧状に隆起した形状となす。これに限定されるものではなく、いずれにしても、押し込みケーブルの先端部が衝突して上記各接続具の内側内での跳ねを与えられるものであればその他の形状であっても良い。
【手続補正１２】
【補正対象書類名】明細書
【補正対象項目名】００２４
【補正方法】変更
【補正の内容】
【００２４】
そして、図５に示すように、直線状の別の接続具９の開口等から光ケーブル１１の先端部１１ａを一方のケーブル挿通口１ａを経て押し込んでいくと、ケーブル１１の先端部１１ａが隙間１０を通過しながら、その一方の挿通口１ａ側に設けられた傾斜４に衝突して収容空間１ｂ側へ跳ね上がるので、上記隙間１０の縁などに接触することなく、ベース体１の内側に確実に押し込まれる。特に、傾斜４（７）はフラットな内面から隆起しているので、ケーブル１１の先端部１１ａの跳ね上がりを効果的に助長できる。
【手続補正１３】
【補正対象書類名】明細書
【補正対象項目名】００２５
【補正方法】変更
【補正の内容】
【００２５】
次いで、ケーブル１１の先端部１１ａはベース体１の湾曲形状に沿って更に押し込まれて他方の挿通口１ａ側へ移行するが、その移行過程で、同挿通口１ａの端縁側に設けられている傾斜４に直に衝突して、図６に示すように、収容空間１ｂ内で跳ね上がって、該傾斜４と隙間１０を同時に飛び越えて、他方の別の接続具９内に導かれるので、従来のように、隙間１０の縁などに接触して押し込みができなくなるようなことは決してない。
【手続補正１４】
【補正対象書類名】明細書
【補正対象項目名】００２６
【補正方法】変更
【補正の内容】
【００２６】
又、上記実施例にあっては、ベース体１とカバー体２の双方に傾斜４・７を環状に設けたものであるが、本発明はこれに限定されるものではなく、少なくとも、図７Ａに示すように、ベース体１の挿通口１ａの端縁のみに設けるか、同図Ｂに示すように、カバー体２の挿通口２ａの端部内側のみに設けても、光ケーブル１１の先端部１１ａの跳ね上がりは可能となる。
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】変更
【補正の内容】
【００２９】
１      ベース体
１ａ    ケーブル挿通口
１ｂ    収容空間
２      カバー体
２ａ    ケーブル挿通口
２ｂ    収容空間
３      嵌合肩
４      傾斜
５      取付孔
６      嵌合爪
７      傾斜
８      延長部
９      別の接続具
１０    隙間
１１    光ケーブル
１１ａ  光ケーブルの先端部
【手続補正１８】
【補正対象書類名】図面
【補正対象項目名】図５
【補正方法】変更
【補正の内容】
【図５】
2013009454.tif 000013
【手続補正１９】
【補正対象書類名】図面
【補正対象項目名】図６
【補正方法】変更
【補正の内容】
【図６】
2013009454.tif 000014
【手続補正２０】
【補正対象書類名】図面
【補正対象項目名】図８
【補正方法】削除
【補正の内容】
【手続補正２１】
【補正対象書類名】図面
【補正対象項目名】図９
【補正方法】削除
【補正の内容】
【手続補正２２】
【補正対象書類名】図面
【補正対象項目名】図１０
【補正方法】削除
【補正の内容】